(57)【要約】【課題】  部品点数の削減を図ることができながらも、ケーシングを壁面にできる限り近づけて配置することができる自立式昇降スクリーンを提供する点にある。【解決手段】  ケーシング３をそれの後面３Ｋが床面Ｆに接地してケーシング３を上下姿勢に立ち上げた非使用姿勢とケーシング３の底面３Ｙを床面Ｆに接地してスクリーンを上方に立ち上げ可能な水平使用姿勢とに姿勢変更自在にケーシング３を構成し、ケーシング３の水平使用姿勢においてケーシング３の前面から前方に突出する取っ手７を設け、取っ手７に、ケーシング３の底面３Ｙが床面Ｆに接地している状態で床面Ｆに接地可能な接地部７Ｔを備えさせた。【選択図】    図８
2006251757.tif 000002
【特許請求の範囲】
【請求項１】
ケーシング内に形成される空間のうちの前側の空間に、上方に立ち上げられたスクリーンを巻き取り収納するための巻き取り部材を配置し、前記スクリーンの上端が連結された上端支持部材と前記ケーシング内に備えたベース部材とを枢支連結するための伸縮式のリンク機構を、前記ケーシング内に形成される空間のうちの後側の空間に折り重ね収納自在に配置し、前記ケーシングをそれの後面が床面に接地して該ケーシングを上下姿勢に立ち上げた非使用姿勢と該ケーシングの底面を床面に接地して前記スクリーンを上方に立ち上げ可能な水平使用姿勢とに姿勢変更自在に該ケーシングを構成し、前記ケーシングの水平使用姿勢において該ケーシングの前面から前方に突出する取っ手を設け、前記取っ手に、前記ケーシングの底面が床面に接地している状態で該床面に接地可能な接地部を備えさせたことを特徴とする自立式昇降スクリーン。
【請求項２】
前記巻き取り部材が、前記スクリーンを巻き取るために巻き取り付勢されてなり、前記伸縮式のリンク機構が、前記上端支持部材に枢支連結された上部側アームの下端と前記ベース部材に枢支連結された下部側アームの上端とが枢支連結されてなる上下一対のリンクを左右に振り分けて構成され、前記左側の上部側アームと同一側に配置された下部側アームの枢支連結部を前記上端支持部材の左右中心部に対して右側に配置し、かつ、前記右側の上部側アームと同一側に配置された下部側アームの枢支連結部を前記上端支持部材の左右中心部に対して左側に配置し、前記下部側アームを上方へ移動付勢するための付勢手段を該下部側アームと前記ベース部材との間に設け、前記下部側アームを、前記上部側アームと該下部側アームとが上下方向で折り重なった収納状態において下方に位置する下面が開放された断面形状がほぼコの字状又はほぼ逆Ｌ字状に構成し、前記収納状態で前記下部側アームの内側の空間に前記付勢手段の少なくとも一部が入り込んで水平方向視において該下部側アームの上下板部に該付勢手段の一部が重複するように該付勢手段を配置してなる請求項１に記載の自立式昇降スクリーン。
【請求項３】
前記付勢手段としてガススプリングを用いてなる請求項２に記載の自立式昇降スクリーン。
【請求項４】
前記接地部を、前記取っ手に一体形成してなる請求項１に記載の自立式昇降スクリーン。
【請求項５】
前記取っ手を、前記ケーシングの左右方向ほぼ中央に設けてなる請求項１又は４に記載の自立式昇降スクリーン。
【請求項６】
前記ケーシングに、前記スクリーン及び前記リンク機構が出入りするための開口を形成し、前記開口を閉じるための蓋部材を前記上端支持部材から構成してなる請求項１〜５のいずれかに記載の自立式昇降スクリーン。
【請求項７】
前記蓋部材となる上端支持部材を閉じることにより、該上端支持部材に備えた係止部に係止してその閉じ姿勢を保持するための係止保持部材を前記ケーシングに備えさせてなる請求項６に記載の自立式昇降スクリーン。
【請求項８】
前記上端支持部材の係止部が、ほぼ水平方向で互いに向き合うように突出する一対の突出片からなり、前記係止保持部材が、前記ケーシングに固定される本体部と、該本体部に互いに接近する側に移動自在に備えられた一対の係止片とを備え、前記上端支持部材の閉じ姿勢への姿勢変更に伴って該突出片と接当して前記一対の係止片を接近する側に移動させ、該突出片が通過して接当が解除されることにより該一対の係止片を離間する側へ復帰させて該突出片の上方への移動を阻止するべく係止し、かつ、前記閉じ姿勢に係止保持されている上端支持部材の上方の開放姿勢への姿勢変更に伴って前記一対の係止片を接近する側に移動させて該突出片との係止を解除するべく接近する側とは反対側となる端部に端部側ほど先細りとなる係止爪を該一対の係止片に備えさせてなる請求項７に記載の自立式昇降スクリーン。
【発明の詳細な説明】
【技術分野】
【０００１】
本発明は、上端支持部材を手で持ち上げたり、電動モータなどのアクチュエータを用いて上昇させることにより、スクリーンを上方に向けて展張させたり、上端支持部材を下方へ押し下げたり、前記アクチュエータの力により展張させたスクリーンをケーシング内に巻き取り収納させて持ち運ぶことができるように構成した自立式昇降スクリーンに関する。
【背景技術】
【０００２】
上記自立式昇降スクリーンとしては、例えばスクリーンの上端が連結された上端支持部材とケーシング内に備えたベース部材とを、上部側アームと下部側アームとが枢支連結されてなる伸縮式のリンク機構を左右両側に振り分けた状態でそれぞれ枢支連結し、左側に配置された角筒状の上部側アームと同一側に配置された角筒状の下部側アームの枢支連結部を上端支持部材の左右中心部に対して右側に配置し、かつ、右側に配置された上部側アームと同一側に配置された下部側アームの枢支連結部を上端支持部材の左右中心部に対して左側に配置し、下部側アームを上方へ移動付勢するための付勢手段であるガススプリングを下部側アームとベース部材との間に設けて、スクリーンをケーシング内の巻き取り部材に巻き取ることによって、上部側アーム及び下部側アームをケーシング内に上下方向で折り重ねた収納状態にすることができるようになっている。そして、スクリーンを立ち上げた状態において容易に倒れることがないように、ケーシングの下面の特定２箇所にケーシングの前後長さよりも長い長方形状の脚部を回転自在に取り付けて、スクリーンを立ち上げる場合には、左右一対の脚部を回転させてケーシングの前後に突出する支持姿勢に切り替えている。（例えば、特許文献１参照。）。
【特許文献１】国際公開第０３／１００５１９号パンフレット（図５、図７参照）
【発明の開示】
【発明が解決しようとする課題】
【０００３】
上記特許文献１によれば、左右一対の脚部が余分に必要となり、部品点数の増大を招き、コスト面において不利になるだけでなく、組み付け作業面においても不利になるものであった。
又、ケーシングに対して前後方向に脚部が突出する構成であるため、ケーシングから後側に脚部が出っ張った分だけ、ケーシングの後面と壁面との間に余分なデッドスペースが発生してしまい、ケーシングを壁面にできるだけ近づけて配置することができないものであり、改善の余地があった。
【０００４】
本発明が前述の状況に鑑み、解決しようとするところは、部品点数の削減を図ることができながらも、ケーシングを壁面にできる限り近づけて配置することができる自立式昇降スクリーンを提供する点にある。
【課題を解決するための手段】
【０００５】
本発明は、前述の課題解決のために、ケーシング内に形成される空間のうちの前側の空間に、上方に立ち上げられたスクリーンを巻き取り収納するための巻き取り部材を配置し、前記スクリーンの上端が連結された上端支持部材と前記ケーシング内に備えたベース部材とを枢支連結するための伸縮式のリンク機構を、前記ケーシング内に形成される空間のうちの後側の空間に折り重ね収納自在に配置し、前記ケーシングをそれの後面が床面に接地して該ケーシングを上下姿勢に立ち上げた非使用姿勢と該ケーシングの底面を床面に接地して前記スクリーンを上方に立ち上げ可能な水平使用姿勢とに姿勢変更自在に該ケーシングを構成し、前記ケーシングの水平使用姿勢において該ケーシングの前面から前方に突出する取っ手を設け、前記取っ手に、前記ケーシングの底面が床面に接地している状態で該床面に接地可能な接地部を備えさせて、自立式昇降スクリーンを構成した。
上記のようにケーシングの水平使用姿勢においてケーシングの前面から前方に突出する取っ手に、ケーシングの前方側で床面に接地する接地部を備えさせることによって、スクリーンを立ち上げた状態においてスクリーンが倒れることを確実に阻止することができる。しかも、取っ手に接地部を兼用構成することによって、部品点数が増大することを回避することができる。又、前方側にのみ突出する取っ手であることから、ケーシングの後面を壁面にできる限り近づけて配置することができる。又、スクリーンを使用しない場合には、ケーシングをそれの後面が床面に接地して該ケーシングを上下姿勢に立ち上げた非使用姿勢に切り替えることができ、ケーシングの上下寸法よりも前後寸法の方が長い場合に、できるだけ、邪魔にならない状態で床面に立てて置いておくことができる。この非使用姿勢の場合には、取っ手が上方を向いているため、取っ手に手を掛けやすく自立式昇降スクリーンの移動を迅速に行うことができる。
【０００６】
前記巻き取り部材が、前記スクリーンを巻き取るために巻き取り付勢されてなり、前記伸縮式のリンク機構が、前記上端支持部材に枢支連結された上部側アームの下端と前記ベース部材に枢支連結された下部側アームの上端とが枢支連結されてなる上下一対のリンクを左右に振り分けて構成され、前記左側の上部側アームと同一側に配置された下部側アームの枢支連結部を前記上端支持部材の左右中心部に対して右側に配置し、かつ、前記右側の上部側アームと同一側に配置された下部側アームの枢支連結部を前記上端支持部材の左右中心部に対して左側に配置し、前記下部側アームを上方へ移動付勢するための付勢手段を該下部側アームと前記ベース部材との間に設け、前記下部側アームを、前記上部側アームと該下部側アームとが上下方向で折り重なった収納状態において下方に位置する下面が開放された断面形状がほぼコの字状又はほぼ逆Ｌ字状に構成し、前記収納状態で前記下部側アームの内側の空間に前記付勢手段の少なくとも一部が入り込んで水平方向視において該下部側アームの上下板部に該付勢手段の一部が重複するように該付勢手段を配置してもよい。
【０００７】
前記付勢手段としてガススプリングを用いてもよい。
【０００８】
前記接地部を、前記取っ手に一体形成してもよい。
【０００９】
前記取っ手を、前記ケーシングの左右方向ほぼ中央に設けてもよい。
【００１０】
前記ケーシングに、前記スクリーン及び前記リンク機構が出入りするための開口を形成し、前記開口を閉じるための蓋部材を前記上端支持部材から構成してもよい。
【００１１】
前記蓋部材となる上端支持部材を閉じることにより、該上端支持部材の係止部に係止してその閉じ姿勢を保持するための係止保持部材を前記ケーシングに備えさせてもよい。
【００１２】
前記上端支持部材の係止部が、ほぼ水平方向で互いに向き合うように突出する一対の突出片からなり、前記係止保持部材が、前記ケーシングに固定される本体部と、該本体部に互いに接近する側に移動自在に備えられた一対の係止片とを備え、前記上端支持部材の閉じ姿勢への姿勢変更に伴って該突出片と接当して前記一対の係止片を接近する側に移動させ、該突出片が通過して接当が解除されることにより該一対の係止片を離間する側へ復帰させて該突出片の上方への移動を阻止するべく係止し、かつ、前記閉じ姿勢に係止保持されている上端支持部材の上方の開放姿勢への姿勢変更に伴って前記一対の係止片を接近する側に移動させて該突出片との係止を解除するべく接近する側とは反対側となる端部に端部側ほど先細りとなる係止爪を該一対の係止片に備えさせてもよい。
【発明の効果】
【００１３】
ケーシングの水平使用姿勢においてケーシングの前面から前方に突出する取っ手に、ケーシングの前方側で床面に接地する接地部を備えさせることによって、部品点数の削減を図ることができながらも、ケーシングを壁面にできる限り近づけて配置することができる自立式昇降スクリーンを提供することができる。又、スクリーンを使用しない場合には、ケーシングをそれの後面が床面に接地してケーシングを上下姿勢に立ち上げた非使用姿勢に切り替えることができ、ケーシングの上下寸法よりも前後寸法の方が長い場合に、できるだけ、邪魔にならない状態で床面に立てて置いておくことができ、商品価値の高い商品とすることができる。前記非使用姿勢の場合には、取っ手が上方を向いているため、取っ手に手を掛けやすく自立式昇降スクリーンの移動を迅速に行うことができる利点もある。
【００１４】
下部側アームを断面形状がほぼコの字状又はほぼ逆Ｌ字状に構成することによって、収納状態になった下部側アームの内側の空間の一部又は全部を、付勢手段の配置スペースとして利用することができ、その分ケーシング内の上下方向の収納空間を小さくすることができ、重心を下げることによって、更に安定性を高めて立ち上げられたスクリーンが倒れることを確実に阻止することができる。
前記付勢手段としては、ガススプリングが適している。
又、接地部を、取っ手に一体形成することによって、別部材を取っ手に取り付ける場合に比べて部品点数の削減化によるコスト面及び組み付け作業面において有利になる。
又、取っ手を、ケーシングの左右方向ほぼ中央に設けることによって、取っ手が突出していないケーシングの前方を他のスペースに利用することができる。
【００１５】
前記ケーシングに、前記スクリーン及び前記リンク機構が出入りするための開口を形成し、前記開口を閉じるための蓋部材を前記上端支持部材から構成することによって、部品点数の削減を図ることができるだけでなく、蓋部材を上端支持部材とは別に設けた場合に、蓋部材を開放状態に操作してから、上端支持部材を上方に持ち上げる操作を行うという２つの操作をしなければならず、それに比べて上端支持部材を上方に持ち上げる操作だけで済み、操作性において有利になる。
【００１６】
前記蓋部材となる上端支持部材を閉じることにより、該上端支持部材の係止部に係止してその閉じ姿勢を保持するための係止保持部材を前記ケーシングに備えさせることによって、上端支持部材を下方へ移動させるだけで、係止保持部材に上端支持部材の係止部が係止して上端支持部材を閉じ姿勢で保持することができ、例えば上端支持部材を閉じ姿勢に手で保持している状態で別に設けた保持手段を操作して上端支持部材を保持させる場合に比べて、操作の容易迅速化を図ることができる。
【００１７】
前記上端支持部材の係止部が、ほぼ水平方向で互いに向き合うように突出する一対の突出片からなり、前記係止保持部材が、前記ケーシングに固定される本体部と、該本体部に互いに接近する側に移動自在に備えられた一対の係止片とを備え、前記上端支持部材の閉じ姿勢への姿勢変更に伴って該突出片と接当して前記一対の係止片を接近する側に移動させ、該突出片が通過して接当が解除されることにより該一対の係止片を離間する側へ復帰させて該突出片の上方への移動を阻止するべく係止し、かつ、前記閉じ姿勢に係止保持されている上端支持部材の上方の開放姿勢への姿勢変更に伴って前記一対の係止片を接近する側に移動させて該突出片との係止を解除するべく接近する側とは反対側となる端部に端部側ほど先細りとなる係止爪を該一対の係止片に備えさせることによって、蓋部材を上げ下げ操作するだけで、一対の突出片と一対の係止片との係止及び係止解除を切り替えることができ、例えば係止及び係止解除を蓋部材の上げ下げ操作とは別の操作にて行う構成に比べて、操作性の向上を図ることができる。
【発明を実施するための最良の形態】
【００１８】
図１〜図５に、スクリーン（サイズ（大きさ）は図に示すもの以外でもよい）１を収納した持ち運び可能な軽量で小型（ハンディ型）の自立式手動昇降スクリーン（以下、昇降スクリーンと称する）２を示している。尚、以下において、図１に示した昇降スクリーン２を収納するためのケーシング３の長手方向（スクリーン左右幅方向）を左右方向とし、前記ケーシング３の長手方向（スクリーン左右幅方向）と直交する方向を前後方向として説明する。前記昇降スクリーン２は、前記スクリーン１を巻き取り収納するための前記ケーシング３と、前記スクリーン１の背（後）面側に配置され、かつ、該スクリーン１の上端が連結された上端支持部材４の左右両端部に上端が枢支連結されてＸ字状となった伸縮式のリンク機構５とを備えている。ここでは、手動力によりスクリーン１を立ち上げたり、巻き取ったりする構成を示しているが、電動モータなどのアクチュエータの力を利用してスクリーン１を操作するようにしてもよい。
【００１９】
前記上端支持部材４は、前記スクリーン１及びリンク機構５がケーシング３に対して出入りするために該ケーシング３に形成した開口３Ｓを閉じるための断面形状がほぼへの字状の蓋部材に兼用構成されている。そして、前記上端支持部材４の左右方向ほぼ中央部に指を入れ、上端支持部材４の凹みに指先を係止させて上方へ引っ張り上げることができる切欠き６Ａが形成された摘み部６をビス止めしており、この摘み部６を掴んで上方へ引っ張り上げることによって、図１〜図３に示すように、スクリーン１を上方へ立ち上げた使用姿勢と、図４及び図５に示すように、ケーシング３内にスクリーン１を巻き取り収納するとともにリンク機構５の上部側アーム１１と下部側アーム１３を上下方向で折り重ねた状態で収納することができるように構成している。前記摘み部６を上端支持部材４にて兼用構成して実施することもできる。
【００２０】
図９〜図１１に示すように、前記蓋部材である上端支持部材４を閉じることにより、該上端支持部材４の係止部に係止してその閉じ姿勢を保持するための側面視ほぼ台形状で合成樹脂製の係止保持部材１７の２個を、前記ケーシング３の左右両側に配設している。具体的には、後述するベース部材３Ａから上方に鈎型状でケーシング３の長手方向ほぼ全域に渡って突出する前後一対の突起部３ａ，３ａの上面間に架け渡して２つのビス１８，１８にて固定している。ここでは、軽量化を図るために係止保持部材１７を合成樹脂にて構成しているが、木又は金属で構成してもよい。又、係止保持部材１７を１個又は３個以上設けて実施することもできる。
前記上端支持部材４の係止部が、ほぼ水平方向で互いに向き合うように突出する鈎型状の一対の突出片１９，１９からなり、前記係止保持部材１７が、前記ケーシング３に固定される本体部２０と、該本体部２０に互いに接近する側に移動自在に備えられた一対の縦長状の係止片２１，２１とを備え、前記上端支持部材４の閉じ姿勢への姿勢変更に伴って該突出片１９，１９と接当して前記一対の係止片２１，２１を接近する側に移動させ、該突出片１９，１９が通過して接当が解除されることにより該一対の係止片２１，２１を離間する側へ復帰させて該突出片１９，１９の上方への移動を阻止するべく係止し、かつ、前記閉じ姿勢に係止保持されている上端支持部材４の上方の開放姿勢への姿勢変更に伴って前記一対の係止片２１，２１を接近する側に移動させて突出片１９，１９との係止を解除するべく接近する側とは反対側となる端部に端部側ほど先細りとなる接当操作用の側面視において山型形状の係止爪２２を該一対の係止片２１，２１に備えさせている。前記係止片２１，２１の接近する側端のそれぞれに、コイルスプリング２３を係止保持するための円形の突起２４を備えさせている。ここでは、コイルスプリング２３を用いて係止片２１，２１を確実に復帰できるように構成しているが、板バネであってもよいし、コイルスプリング２３や板バネを省略する代わりに、係止片２１，２１自体を板バネにて構成してもよい。ここでは、係止片２１，２１を下端部を中心として揺動自在なものから構成することによって、構成の簡素化を図ることができる利点があるが、係止片２１，２１を接近離間できるようにスライド（移動）自在にガイド部材（図示せず）を介して設けて実施してもよい。
【００２１】
従って、上端支持部材４を上方の開放姿勢から閉じ姿勢に姿勢変更するに伴って、突出片１９，１９の下端が係止爪２２，２２に接当して、係止爪２２，２２をそれのテーパー面の案内作用によりコイルスプリング２３の付勢力に抗して接近する側に移動させ、係止爪２２，２２の先端を乗り越えることにより、係止爪２２，２２がコイルスプリング２３の付勢力により初期位置まで復帰し、図１０に示すように、係止爪２２，２２の下端で突出片１９，１９が係止した状態となり、上端支持部材４が係止固定されるのである。この係止状態から、上端支持部材４を持ち上げることにより、突出片１９，１９が係止爪２２，２２のテーパー面を押し上げることにより、係止爪２２，２２をコイルスプリング２３の付勢力に抗して接近する側に移動させて、係止を解除することで上端支持部材４を上方の開放姿勢へ立ち上げることができるようになっている。
【００２２】
図４及び図５に示すように、前記ケーシング３は、スクリーン１を巻き取るための巻き取り部材としての円筒状の巻き取りパイプ９を図示していないスプリングを用いて一方向へ回転（巻き取り）付勢した状態で取り付け支持するための断面形状がほぼＬ字状のベース部材３Ａと、このベース部材３Ａの前方上端に着脱自在に係止して上方へ円弧状に延びる前側上板部３Ｂと、これらベース部材３Ａ及び前側上板部３Ｂの左右両端に形成される開口部を閉じるための左右一対の端部キャップ３Ｃ，３Ｃと、前記ベース部材３Ａの前面の左右方向ほぼ中央に取り付けられ、かつ、前方へ延びる断面形状がＬ型の持ち運び用の取っ手７とから構成されているが、図に示されるものに限定されるものではない。前記各端部キャップ３Ｃの前端部に嵌め込まれている円形のキャップ部３Ｇを内側から外側へ押し出して取り外すことによって、端部キャップ３Ｃに形成される開口を通して挿入されるドライバーにより図示していないねじを緩めて前記前側上板部３Ｂを取り外すことで、スクリーン１の巻き取りパイプ９を容易に取り外すことができるようになっており、スクリーン１の交換などを容易に行うことができる利点がある。
【００２３】
前記ケーシング３をそれのほぼ偏平な後面３Ｋが床面Ｆに接地して該ケーシング３をそれの底面３Ｙが壁面Ｈに接触する（隙間が空いた状態であってもよい）上下姿勢に立ち上げた非使用姿勢（図８（ｂ）参照）と該ケーシング３のほぼ偏平な底面３Ｙを床面Ｆに接地して前記スクリーン１を上方に立ち上げ可能な水平使用姿勢（図８（ａ）参照、図ではケーシング３の後面３Ｋを壁面に接触させているが、隙間が空いた状態であってもよい）とに姿勢変更自在に該ケーシング３を構成し、前記ケーシング３の水平使用姿勢において該ケーシング３の前面から前方に突出する前記取っ手７を、その取っ手７の下面のうちの前端で左右両端に位置する部位の下面から下方へ突出して接地部を構成する突出部７Ｔの下面７Ａ（最も前方に位置する下面）と該ケーシング３の底面３Ｙとで床面Ｆに接地する状態で備えさせており、スクリーン１を立ち上げた使用姿勢にした場合に、特別な支持脚をケーシング３の前後に配置しなくても、スクリーン１が倒れてしまうことを確実に回避することができる接地部として兼用構成することができるようになっている。ここでは、取っ手７をケーシング３の左右方向ほぼ中央に設けた場合を示したが、左右どちらかに寄った位置に設けたり、取っ手７を複数設けて実施することもできる。前記取っ手７に突出部７Ｔを形成したものを示しているが、取っ手７の下面全体が下方に突出して床面に取っ手７の下面全体が接触するように構成してもよいし、又、別に形成された突出部を取っ手７に取り付けて実施することもできる。又、前記取っ手７の形状及び大きさは、図に示されるもの以外であってもよい。図８（ａ）に示すように側面視において上下寸法よりも前後寸法が大きくなったケーシング３を、図８（ｂ）に示すように立てた非使用姿勢にしておくことによって、床面Ｆに対するケーシング３の設置スペースを、図８（ａ）に示す水平使用姿勢に比べて小さくすることができ、使用面において有利になる。このとき、取っ手７が上方を向いているため、取っ手７を直ちに掴んで他の場所へ迅速に移動させることができる。ここでは、取っ手７と前記摘み部６とをケーシング３の長手方向ほぼ中央の同一箇所に備えさせることによって、取っ手７を持って昇降スクリーン２を移動させた後、直ちに摘み部６を掴んでスクリーン１を立ち上げることができる利点があるが、両者６，７を異なる位置に配置してもよい。
【００２４】
図４に示すように、前記スクリーン１の一端（上端）を、スクリーン１の左右幅とほぼ同一の長さを有する板状の係止片１０に固定し、その係止片１０を前記上端支持部材４に係止保持させることにより、スクリーン１の上端を上端支持部材４に連結できるようにしているが、他の方法にて連結するようにしてもよい。
【００２５】
前記Ｘ字状のリンク機構５について説明すれば、図２〜図４、図６、図７及び図９に示すように、前記上端支持部材４の左右両端部（それら周辺であれば両端部から少し中央側の部位でもよい）に左右の角筒状（円筒状等でもよい）で金属製（金属とほぼ同等の強度を有するものであれば他の材料であってもよい）の上部側アーム１１，１１の上端をブラケット１２を介してそれぞれ枢支連結し、前記ベース部材３Ａから上方に鈎型状でケーシング３の長手方向ほぼ全域に渡って突出する前後一対の突起部３ａ，３ａ間の特定２箇所（ケーシングの左右両端に近い箇所）に固定されたブラケット３Ｅ，３Ｅ（ベース部材３Ａにて兼用構成してもよい）に、下面が開放された断面形状がほぼコの字状に形成された左右の金属製（金属とほぼ同等の強度を有するものであれば他の材料であってもよい）の下部側アーム１３，１３の下端をそれぞれ枢支連結し、前記左右の上部側アーム１１，１１の下端と前記左右の下部側アーム１３，１３の上端を同一側同士でそれぞれ枢支連結することにより伸縮自在なＸ字状のリンク機構５を構成している。前記のように上端支持部材４の左右両端に近い位置に上部側アーム１１，１１の上端を枢支連結することによって、スクリーン１の上げ下げをより一層安定よく行うことができる利点があるが、場合によっては左右方向中央に近い位置に上部側アーム１１，１１の上端を枢支連結してもよい。ここでは、下部側アーム１３，１３を、扁平な天板部１３Ａと、この天板部１３Ａの幅方向（前後方向）両端から直下方に垂下する左右一対の上下板部（縦板部）１３Ｂ，１３Ｂとからなる断面形状がほぼコの字状にしているが、下面及び前後の上下面のうちのいずれかが開放された断面形状がほぼＬ字状のものであってもよい。ここでは、Ｘ字状のリンク機構５を示しているが、４本のアームをほぼ菱形状に枢支連結したものであってもよい。図６に示す３４は、下部側アーム１３，１３の収納時に、下部側アーム１３，１３の天板部１３Ａ，１３Ａの下面に接当して位置規制を行うとともに接当時の衝撃音を吸収するための弾性体（ゴム）であり、この弾性体３４は、前後一対の突起部３ａ，３ａ間に固定された後述のブラケット３Ｄを介して取り付けた固定部材３５の上端に突設されている。又、図９に示す３６は、上部側アーム１１，１１を受け止めるための受け部材であり、この受け部材３６は、下部側アーム１３，１３にビス止めされている。
【００２６】
詳述すれば、前記左右の上部側アーム１１，１１の上端を前記上端支持部材４の左右両端部（それら周辺であれば両端部から少し中央側の部位でもよい）に左右方向視において重複することがないように前後に位置をずらせた状態で枢支連結し、前記左右の下部側アーム１３，１３の下端を前記ケーシングの左右両端に近い箇所に取り付けたブラケット３Ｅ，３Ｅ（それら周辺であれば両端部から少し中央側の部位でもよい）に左右方向で重複することがないように前後にアームの位置をずらせた状態で枢支連結し、前記左右の上部側アーム１１，１１の下端と前記左右の下部側アーム１３，１３の上端を外嵌可能な補強用の連結部材１５，１５を介して同一側同士で枢支連結することにより伸縮自在な前記リンク機構５を構成している。
【００２７】
図２及び図３に示すように、前記左右の下部側アーム１３，１３それぞれに、前後一対の分割ケースからなるスライド部材２５の２個を取り付け、それら左右のスライド部材２５，２５を前後方向で、かつ、左右方向ほぼ中央部に位置する上下の垂線Ｓで相対回転自在に連結してあり、左右のリンク機構５，５をスムーズかつ安定良く伸縮作動させることができるようにしている。又、スライド部材２５を取り付けることにより、スクリーン１の上端位置を規制することができる利点がある。ここでは、下部側アーム１３，１３にスライド部材２５，２５を取り付けているが、上部側アーム１１，１１にスライド部材を取り付けてもよいし、図１３〜図１６に示すように、下部側アーム１３，１３及び上部側アーム１１，１１の両方にスライド部材２５，２５、２６，２６を取り付けて実施する場合には、左右の上部側アーム１１，１１間及び前記左右の下部側アーム１３，１３間に発生する前後のガタツキなどによる振れを抑えることができる利点がある。
【００２８】
図１３及び図１５に示すように、前記上方に位置するスライド部材２６を構成する前記一方の分割ケースは、前記上部側アーム１１の外周の半分よりも少し狭い部分を覆うほぼコの字状のケース本体２６Ａと、このケース本体２６Ａの上端部から上方に延出された連結板部２６Ｂとからなり、又残りの分割ケースは、前記上部側アーム１１の残りの外周の半分よりも少し狭い部分を覆うほぼコの字状のケース本体２７Ａと、このケース本体２７Ａの上端部から上方に延出された連結板部２７Ｂとからなり、２つのケース本体２６Ａ，２７Ａを重ね合わせると共に、重ね合わせた連結板部２６Ｂ，２７Ｂとを一対のビス２８，２８により連結固定しているが、係止機構や接着剤等により一体化することもできる。又、前記一方のケース本体２６Ａの連結板部２６Ｂの左右方向ほぼ中央部に、両スライド部材２６，２６を相対回転自在に枢支連結するためのピン２９を保持させている。ここでは、ピン２９を用いることによって、スライド部材２６，２６の相対回転を摩擦の少ない状態で行うことができるが、ピン２９以外のものであってもよい。従って、図１３に示すように、ピン２９を介して回転自在に枢支連結されたスライド部材２６，２６を上部側アーム１１，１１にスライド自在に外嵌固定することによって、スクリーン１を使用姿勢から収納姿勢に切り換える際に、上部側アーム１１，１１が任意の高さ位置で常に左右対称となる状態でスライド部材２６，２６にて連結されている状態であるから、左右のリンク機構５，５を常にスムーズかつ安定良く作動させることができる。そして、上部側アーム１１，１１が収納姿勢となる水平姿勢の状態になると、前記スライド部材２６，２６が水平方向に移動可能なフリー状態になるが、該スライド部材２６，２６が上部側アーム１１，１１に備えさせた突起部３０，３０（図１４参照）に接当することによりスライド部材２６，２６の移動が阻止され、その位置（垂線Ｓ上）にスライド部材２６，２６を維持することができるようにしている。このように突起部３０，３０にてスライド部材２６，２６の位置を規制することによって、収納姿勢から使用姿勢にスクリーン１を切り換える場合に、スライド部材２６，２６を所定位置（垂線Ｓ上）に移動させることなく、直ちに姿勢変更することができる利点があるが、突起部３０，３０を省略して実施することもできる。前記突起部３０，３０をゴムなどの弾性材で構成してあり、閉じた姿勢の上端支持部材４に何らかの原因で荷重が加わったときに、上部側アーム１１，１１の上面に備えさせた突起部３０，３０にて上端支持部材４を受け止めることにより、突起部３０，３０がクッション材として機能することができるようにしている。
【００２９】
又、前記下方に位置するスライド部材２５を構成する前記一方の分割ケースは、前記下部側アーム１３の外周のほぼ半分と下方の開口部のほぼ半分を覆うほぼコの字状のケース本体３０Ａと、このケース本体３０Ａの下端部から下方に延出された連結板部３０Ｂとからなり、又残りの分割ケースは、前記下部側アーム１３の残りの外周のほぼ半分と開口部のほぼ半分を覆うコの字状のケース本体３１Ａと、このケース本体３１Ａの下端部から下方に延出された連結板部３１Ｂとからなり、２つのケース本体３０Ａ，３１Ａを重ね合わせると共に、重ね合わせた連結板部３０Ｂ，３１Ｂを一対のビス３２，３２により連結固定しているが、係止機構や接着剤等により一体化することもできる。又、前記一方のケース本体３０Ａの連結板部３０Ｂの左右方向ほぼ中央部に、両スライド部材２５，２５を相対回転自在に枢支連結するためのピン３３を保持させている。ここでは、ピン３３を用いることによって、スライド部材２５，２５の相対回転を摩擦の少ない状態で行うことができるが、ピン３３以外のものであってもよい。従って、図１３に示すように、ピン３３を介して回転自在に枢支連結されたスライド部材２５，２５を下部側アーム１３，１３にスライド自在に外嵌固定することによって、スクリーン１を使用姿勢から収納姿勢に切り換える際に、下部側アーム１３，１３が任意の高さ位置で常に左右対称となる状態でスライド部材２５，２５にて連結されている状態であるから、左右のリンク機構５，５を常にスムーズかつ安定良く作動させることができる。そして、図６に示すように、下部側アーム１３，１３が収納姿勢となる水平姿勢の状態になると、前記スライド部材２５，２５が水平方向に移動可能なフリー状態になるが、該スライド部材２５，２５がガススプリング１６，１６の上端のほぼコの字状のストッパー部材としての取付部材８，８（図では一方のみ図示している）に接当することによりスライド部材２５，２５の移動が阻止され、その位置（垂線Ｓ上）にスライド部材２５，２５を維持することができるようにしている。このように取付部材８，８にてスライド部材２５，２５の位置を規制することによって、収納姿勢から使用姿勢にスクリーン１を切り換える場合に、スライド部材２５，２５を所定位置（垂線Ｓ上）に移動させることなく、直ちに姿勢変更することができる利点があるが、取付部材８，８を省略して実施することもできる。又、取付部材８，８にてスライド部材２５，２５のストッパー部材（位置規制部材）を兼用構成することにより部材点数の削減化を図ることができる利点があるが、他の部材で構成してもよい。前記ピン２９，３３をビスに代えて、スライド部材２５，２５又は２６，２６の前後の間隔を調節できるように構成することによって、スクリーン１の前後方向の立ち上げ角度を調節することができる利点がある。
【００３０】
従って、前記昇降スクリーン２を立ち上げて展張させた状態からケーシング３内に収納する場合には、前記上端支持部材４を持って押し下げることによって、リンク機構５，５を短縮作動させる、つまり、上部側アーム１１，１１及び下部側アーム１３，１３が水平姿勢になるように倒れていくと、スライド部材２５，２５、２６，２６が上部側アーム１１，１１及び下部側アーム１３，１３の揺動に追従して互いに反対方向に回転しながら、図１５の矢印の方向へスライド（移動）することで結果として垂線Ｓを下方へ移動して、上部側アーム１１，１１及び下部側アーム１３，１３がスライド部材２５，２５、２６，２６にて同一角度に揺動されることにより、安定良くスクリーン１の押し下げを行うことができる。尚、前記昇降スクリーン２を収納状態から立ち上げる場合には、前記とは反対側にスライド部材２５，２５、２６，２６が上部側アーム１１，１１及び下部側アーム１３，１３をスライド（移動）することで結果として垂線Ｓを上方へ移動して、上部側アーム１１，１１及び下部側アーム１３，１３がスライド部材２５，２５、２６，２６にて同一角度に揺動されることにより、安定良くスクリーン１を立ち上げることができる。
【００３１】
図２〜図４、図６に示すように、前記下部側アーム１３，１３を上方へ移動付勢（押し付勢）するための付勢手段としてのガススプリング（他の構成のものであってもよい）１６，１６を、下部側アーム１３，１３の長手方向ほぼ中央箇所に取り付けた取付部材８，８と、前記前後一対の突起部３ａ，３ａ間の特定２箇所（前記ブラケット３Ｅ，３Ｅよりもケーシングの中央部に近い箇所）に固定されたブラケット３Ｄ，３Ｄとの間にそれぞれ取り付けて、スクリーン１の下降がゆっくり行われるようにすることができると共に、任意の高さ位置でスクリーン１を位置保持させることができるようにしている。
【００３２】
そして、前記のように下部側アーム１３，１３の下面が開放されているため、前記収納状態で前記下部側アーム１３，１３の内側の空間１３Ｋ，１３Ｋに前記ガススプリング１６，１６が入り込んで水平方向視において該下部側アーム１３，１３の縦板部１３Ｂ，１３Ｂから下方へ突出することがないようにしている。ここでは、ガススプリング１６，１６全体が下部側アーム１３，１３の内側の空間１３Ｋ，１３Ｋに入り込むことによって、ケーシング３内の上下方向のスペースをコンパクトに抑えることができる構成となり好ましいが、ガススプリング１６，１６の一部のみが下部側アーム１３，１３の内側の空間１３Ｋ，１３Ｋに入り込む構成であってもよい。
【００３３】
前記収納状態においてガススプリング１６，１６の付勢方向（下部側アーム１３，１３を上方へ押し上げる方向）が斜め下方を向くようにガススプリング１６，１６を前下がり傾斜姿勢に配置しているが、水平方向に配置してもよい。このようにガススプリング１６，１６を前下がり傾斜姿勢に配置することによって、上端支持部材４を閉じる側に付勢することになるため、上端支持部材４が不測に上方へ移動してスクリーン１が立ち上げられるといったことを確実に回避することができる。
ここでは、ガススプリング１６，１６の固定側基端部１６Ｂを下部側アーム１３，１３に取り付け、可動側（伸縮側）先端部１６Ａをブラケット３Ｄに取り付けたが、逆に取り付けてもよい。付勢手段としてガススプリング１６，１６を用いる場合が好ましいが、流体圧シリンダやコイルスプリングなどを用いてもよい。
【００３４】
前記のようにガススプリング１６，１６全体が下部側アーム１３，１３の内側の空間１３Ｋ，１３Ｋに入り込むことによって、ケーシング３の上下方向のスペースを小さく抑えることができ、図４に示すように、４本のアーム１１，１１、１３，１３とガススプリング１６，１６をケーシング３の後側スペースに配置し、ケーシング３の前側のスペースにスクリーン１を巻き取り収納したときに、上下高さを前後方向においてほぼ同一高さにすることができ、ケーシング３の重心を下げることができる。そして、上下寸法よりも前後寸法が大きくなった安定性のよいケーシング３に加えて、前記取っ手７を接地部として利用することによって、立ち上げたスクリーン１が倒れることを確実に阻止することができるようになっている。
【図面の簡単な説明】
【００３５】
【図１】スクリーンを立ち上げた昇降スクリーンの正面図である。
【図２】スクリーンを立ち上げた昇降スクリーンの背面図である。
【図３】スクリーンを立ち上げた昇降スクリーンの一部断面にした側面図である。
【図４】スクリーンを巻き取った状態の昇降スクリーンの縦断面図である。
【図５】スクリーンを巻き取った状態の昇降スクリーンの斜視図である。
【図６】ガススプリングの取り付け部を示す縦断面図である。
【図７】ガススプリングの取り付け部を示す横断面図である。
【図８】（ａ）はケーシングの底面を床面に接地させてスクリーンを立ち上げる直前の状態を示す昇降スクリーンの側面図、（ｂ）はケーシングの背面を床面に接地させて立てた状態を示す昇降スクリーンの側面図である。
【図９】係止保持部材の取り付け部を示す要部の縦断背面図である。
【図１０】係止保持部材の取り付け部を示す要部の縦断側面図である。
【図１１】係止保持部材の取り付け部を示す要部の斜視図である。
【図１２】上部側アームと下部側アームとの枢支連結部で切断した要部の縦断側面図である。
【図１３】スライド部材を取り付けている部位で切断した昇降スクリーンの縦断側面図である。
【図１４】上下の両アームにスライド部材を取り付けた昇降スクリーンの背面図である。
【図１５】上下の両アームにスライド部材を取り付けた要部の背面図である。
【図１６】上下の両アームにスライド部材を取り付けた昇降スクリーンの縦断側面図である。
【符号の説明】
【００３６】
１  スクリーン
２  昇降スクリーン
３  ケーシング
３Ａ  ベース部材
３ａ  突起部
３Ｂ  前側上板部
３Ｃ  端部キャップ
３Ｄ  ブラケット
３Ｅ  ブラケット
３Ｇ  キャップ部
３Ｋ  後面
３Ｓ  開口
３Ｙ  底面
４  上端支持部材
５  リンク機構
６  摘み部
７  取っ手
７Ａ  下面
７Ｔ  突出部（接地部）
８  取付部材
９  パイプ
１０  係止片
１１  上部側アーム
１２  ブラケット
１３  下部側アーム
１３Ａ  天板部
１３Ｂ  縦板部（上下板部）
１３Ｋ  空間
１５  連結部材
１６，１６  ガススプリング
１６Ａ  先端部
１６Ｂ  固定側基端部
１７  係止保持部材
１８  ビス
１９  突出片
２０  本体部
２１  係止片
２２  係止爪
２３  コイルスプリング
２４  突起
２５，２６  スライド部材
２６Ａ  ケース本体
２６Ｂ  連結板部
２７Ａ  ケース本体
２７Ｂ  連結板部
２８  ビス
２９  ピン
３０  突起部
３０Ａ  ケース本体
３０Ｂ  連結板部
３１Ａ  ケース本体
３１Ｂ  連結板部
３２  ビス
３３  ピン
３４  弾性体
３５  固定部材
３６  部材
Ｆ  床面
Ｈ  壁面
Ｓ  垂線
【図１】
2006251757.tif 000003
【図２】
2006251757.tif 000004
【図３】
2006251757.tif 000005
【図４】
2006251757.tif 000006
【図５】
2006251757.tif 000007
【図６】
2006251757.tif 000008
【図７】
2006251757.tif 000009
【図８】
2006251757.tif 000010
【図９】
2006251757.tif 000011
【図１０】
2006251757.tif 000012
【図１１】
2006251757.tif 000013
【図１２】
2006251757.tif 000014
【図１３】
2006251757.tif 000015
【図１４】
2006251757.tif 000016
【図１５】
2006251757.tif 000017
【図１６】
2006251757.tif 000018